(57)【要約】【課題】一つの実施形態は、コンテンツの配信を効率化することを目的とする。【解決手段】一つの実施形態によれば、管理サーバにおいて、記憶部は、コンテンツが分類されるカテゴリと位置情報とアクセス頻度とが複数のカテゴリと複数の位置情報とについて対応付けられた第１の対応情報を記憶する。取得部は、アクセス情報と前記無線端末で要求されたコンテンツと前記アクセスされたアクセスポイントに対応する位置情報とを取得する。処理部は、前記アクセス情報に応じて、前記要求されたコンテンツが属するカテゴリと前記取得された位置情報とに対応するアクセス頻度を書き換えて前記第１の対応情報を更新する。処理部は、更新された第１の対応情報におけるアクセス頻度が基準を満たすカテゴリ及び位置情報を特定する。処理部は、特定された位置情報に対応したアクセスポイントのキャッシュ領域に前記特定されたカテゴリに属するコンテンツを格納する。【選択図】図７
2019160076.tif 000002
【特許請求の範囲】
【請求項１】
コンテンツが分類されるカテゴリと位置情報とアクセス頻度とが複数のカテゴリと複数の位置情報とについて対応付けられた第１の対応情報を記憶する記憶部と、
無線端末からアクセスポイント及びネットワークを介してコンテンツサーバにアクセスされたアクセス情報と前記無線端末で要求されたコンテンツと前記アクセスされたアクセスポイントに対応する位置情報とを取得する取得部と、
前記アクセス情報に応じて、前記要求されたコンテンツが属するカテゴリと前記取得された位置情報とに対応するアクセス頻度を書き換えて前記第１の対応情報を更新し、更新された第１の対応情報におけるアクセス頻度が基準を満たすカテゴリ及び位置情報を特定し、特定された位置情報に対応したアクセスポイントのキャッシュ領域に前記特定されたカテゴリに属するコンテンツを格納する処理部と、
を備えた管理サーバ。
【請求項２】
前記位置情報は、アクセスポイントの位置を示す情報を含み、
前記処理部は、前記特定された位置情報に対応した第１のアクセスポイントのキャッシュ領域に前記特定されたカテゴリに属するコンテンツを格納する
請求項１に記載の管理サーバ。
【請求項３】
前記記憶部は、前記位置情報と前記位置情報で示される位置に近接するアクセスポイントの位置を示す近接位置情報とが複数のアクセスポイントについて対応付けられた第２の対応情報をさらに格納し、
前記処理部は、前記特定された位置情報と前記第２の対応情報とに応じて、前記第１のアクセスポイントの周辺に位置する第２のアクセスポイントを特定し、特定された第２のアクセスポイントのキャッシュ領域に前記特定されたカテゴリに属するコンテンツを格納する
請求項２に記載の管理サーバ。
【請求項４】
前記取得部は、前記無線端末から異なる時刻に複数のアクセスポイント及びネットワークを介してコンテンツサーバにアクセスされた複数のアクセス情報を取得し、
前記処理部は、前記複数のアクセス情報を用いて前記第２の対応情報を作成して前記記憶部に格納する
請求項３に記載の管理サーバ。
【請求項５】
前記記憶部は、前記カテゴリと前記位置情報と前記アクセス頻度と通信属性とが複数のカテゴリと複数の位置情報と複数の通信属性とについて対応付けられた前記第１の対応情報を記憶し、
前記取得部は、前記アクセス情報と前記要求されたコンテンツと前記アクセスされたアクセスポイントに対応する位置情報と前記アクセスされたアクセスポイントの通信属性とを取得し、
前記処理部は、前記アクセス情報に応じて、前記要求されたコンテンツが属するカテゴリと前記取得された位置情報と前記取得された通信属性とに対応するアクセス頻度を書き換えて前記第１の対応情報を更新し、更新された第１の対応情報におけるアクセス頻度が基準を満たすカテゴリ、位置情報、及び通信属性を特定し、前記通信属性に応じた状態において前記特定された位置情報に応じたアクセスポイントのキャッシュ領域に前記特定されたカテゴリに属するコンテンツを格納する
請求項１から４のいずれか１項に記載の管理サーバ。
【請求項６】
前記記憶部は、前記カテゴリと前記位置情報と前記アクセス頻度とユーザ属性とが複数のカテゴリと複数の位置情報と複数のユーザ属性とについて対応付けられた前記第１の対応情報を記憶し、
前記取得部は、前記アクセス情報と前記要求されたコンテンツと前記アクセスされたアクセスポイントに対応する位置情報と前記アクセスされたアクセスポイントのユーザ属性とを取得し、
前記処理部は、前記アクセス情報に応じて、前記要求されたコンテンツが属するカテゴリと前記取得された位置情報と前記取得されたユーザ属性とに対応するアクセス頻度を書き換えて前記第１の対応情報を更新し、更新された第１の対応情報におけるアクセス頻度が基準を満たすカテゴリ、位置情報、及びユーザ属性を特定し、前記ユーザ属性に応じた状態において前記特定された位置情報に応じたアクセスポイントのキャッシュ領域に前記特定されたカテゴリに属するコンテンツを格納する
請求項１から４のいずれか１項に記載の管理サーバ。
【請求項７】
コンテンツが分類されるカテゴリと位置情報とアクセス頻度とが複数のカテゴリと複数の位置情報とについて対応付けられた対応情報を記憶することと、
無線端末からアクセスポイント及びネットワークを介してコンテンツサーバにアクセスされたアクセス情報と前記無線端末で要求されたコンテンツと前記アクセスされたアクセスポイントに対応する位置情報とを取得することと、
前記アクセス情報に応じて、前記要求されたコンテンツが属するカテゴリと前記取得された位置情報とに対応するアクセス頻度を書き換えて前記対応情報を更新することと、
前記対応情報におけるアクセス頻度が基準を満たすカテゴリ及び位置情報を特定し、特定された位置情報に応じたアクセスポイントのキャッシュ領域に前記特定されたカテゴリに属するコンテンツを格納することと、
を備えたコンテンツ管理方法。
【請求項８】
コンテンツが分類されるカテゴリと位置情報とアクセス頻度とが複数のカテゴリと複数の位置情報とについて対応付けられた対応情報を記憶することと、
無線端末からアクセスポイント及びネットワークを介してコンテンツサーバにアクセスされたアクセス情報と前記無線端末で要求されたコンテンツと前記アクセスされたアクセスポイントに対応する位置情報とを取得することと、
前記アクセス情報に応じて、前記要求されたコンテンツが属するカテゴリと前記取得された位置情報とに対応するアクセス頻度を書き換えて前記対応情報を更新することと、
前記対応情報におけるアクセス頻度が基準を満たすカテゴリ及び位置情報を特定し、特定された位置情報に応じたアクセスポイントのキャッシュ領域に前記特定されたカテゴリに属するコンテンツを格納することと、
をコンピュータに実行させるコンテンツ管理プログラム。
【発明の詳細な説明】
【技術分野】
【０００１】
本実施形態は、管理サーバ、コンテンツ管理方法、及びコンテンツ管理プログラムに関する。
【背景技術】
【０００２】
アクセスポイントへアクセス可能な無線端末は、サーバからネットワーク及びアクセスポイントを介してコンテンツが配信される。このとき、コンテンツの配信を効率化することが望まれる。
【先行技術文献】
【特許文献】
【０００３】
【特許文献１】特開２００５−０３１９８７号公報
【特許文献２】特開２０１６−１２８９５８号公報
【発明の概要】
【発明が解決しようとする課題】
【０００４】
一つの実施形態は、コンテンツの配信を効率化できる管理サーバ、コンテンツ管理方法、及びコンテンツ管理プログラムを提供することを目的とする。
【課題を解決するための手段】
【０００５】
一つの実施形態によれば、記憶部と取得部と処理部とを有する管理サーバが提供される。記憶部は、コンテンツが分類されるカテゴリと位置情報とアクセス頻度とが複数のカテゴリと複数の位置情報とについて対応付けられた第１の対応情報を記憶する。取得部は、無線端末からアクセスポイント及びネットワークを介してコンテンツサーバにアクセスされたアクセス情報と前記無線端末で要求されたコンテンツと前記アクセスされたアクセスポイントに対応する位置情報とを取得する。処理部は、前記アクセス情報に応じて、前記要求されたコンテンツが属するカテゴリと前記取得された位置情報とに対応するアクセス頻度を書き換えて前記第１の対応情報を更新する。処理部は、更新された第１の対応情報におけるアクセス頻度が基準を満たすカテゴリ及び位置情報を特定する。処理部は、特定された位置情報に対応したアクセスポイントのキャッシュ領域に前記特定されたカテゴリに属するコンテンツを格納する。
【図面の簡単な説明】
【０００６】
【図１】図１は、実施形態に係る管理サーバを含むシステムの構成を示す図である。
【図２】図２は、実施形態におけるアクセスポイントの構成を示す図である。
【図３】図３は、実施形態におけるカテゴリ情報リスト及び位置情報リストのデータ構造を示す図である。
【図４】図４は、実施形態に係る管理サーバの構成を示す図である。
【図５】図５は、実施形態における分類情報のデータ構造を示す図である。
【図６】図６は、実施形態における第１の対応情報及び配信管理情報のデータ構造を示す図である。
【図７】図７は、実施形態に係る管理サーバの動作を示す図である。
【図８】図８は、実施形態の第１の変形例に係る複数のアクセスポイントの位置情報取得のための動作を示す図である。
【図９】図９は、実施形態の第１の変形例に係る管理サーバの動作を示す図である。
【図１０】図１０は、実施形態の第１の変形例における第２の対応情報のデータ構造を示す図である。
【図１１】図１１は、実施形態の第１の変形例における第１の対応情報及び配信管理情報の構成を示す図である。
【図１２】図１２は、実施形態の第２の変形例における第１の対応情報及び配信管理情報の構成を示す図である。
【図１３】図１３は、実施形態の第３の変形例に係る管理サーバの動作を示す図である。
【図１４】図１４は、実施形態の第３の変形例における第１の対応情報及び配信管理情報の構成を示す図である。
【発明を実施するための形態】
【０００７】
以下に添付図面を参照して、実施形態にかかる管理サーバを詳細に説明する。なお、この実施形態により本発明が限定されるものではない。
【０００８】
（実施形態）
実施形態に係る管理サーバは、コンテンツの配信を管理でき、管理サーバからネットワーク及びアクセスポイントを介して無線端末へ配信されるコンテンツを管理することができる。このとき、コンテンツの配信を効率化することが望まれる。
【０００９】
コンテンツの配信の効率化のために、コンテンツの無線端末への配信履歴を元にアクセスポイントへのコンテンツの配置の可否を判断する方法が考えられる。この方法では、無線端末へ配信が多かったコンテンツを、その無線端末が現在アクセスしているアクセスポイントへ配置する。この方法では、コンテンツの無線端末への配信履歴を元にアクセスポイントへのコンテンツの配置の可否を判断するため、例えば新たな無線端末が移動している場合など無線端末の配信履歴が存在しない場合に対応することが困難である。これにより、そのアクセスポイントが配置された場所に依存してよく閲覧されるコンテンツであっても、そのアクセスポイントへのコンテンツの配信が遅れ、コンテンツの配信の迅速化が困難になることがある。
【００１０】
例えば、インフラとサービスとが別々の運用者により運用されている場合、情報が分断されやすく、場所依存のコンテンツについて効果的なターゲッティングが困難になり、ターゲットにするユーザが居ない時間・場所に広告を出してしまうことなどが起こり得る。広告やサービスの実行環境にもコストがかかるのでコンテンツの配信を効率化（例えば、最適化）することが望まれる。
【００１１】
そこで、実施形態では、管理サーバにおいて、コンテンツのカテゴリと位置情報とアクセス頻度とが対応付けられた第１の対応情報を記憶するとともにコンテンツへのアクセス情報に応じて逐次更新し、第１の対応情報に応じてアクセスが予想されるコンテンツを位置情報に対応したアクセスポイントのキャッシュ領域に格納しておくことで、コンテンツの配信の効率化を図る。
【００１２】
具体的には、管理サーバを含むシステムにおいて、コンテンツを配信すべき位置の情報（配信先の位置情報）は、無線位置情報技術よりも細かい位置（アクセスポイント単位）で管理できる。配信先の位置情報を無線端末ではなくシステム側で把握できると、コンテンツをどこに配信すべきかをシステム側で判断しやすくなる。このことを利用して、管理サーバは、コンテンツを類似性からカテゴリに分類し、新規コンテンツを配置する際には、新規コンテンツを類似性から既存のカテゴリに追加し、そのカテゴリのコンテンツが配置されているアクセスポイントに対して新規コンテンツを配置する。すなわち、管理サーバは、各情報を管理するサーバから必要な情報を集め、コンテンツをカテゴリに分類したうえで、新規コンテンツが参照される可能性が高いアクセスポイントを求めて新規コンテンツを配置する。これにより、参照される可能性が高いアクセスポイントに新規コンテンツが早期に配置され、システム全体として配信品質を向上できる。
【００１３】
より具体的には、管理サーバ（管理サーバ）１を含むシステム１は、図１に示すように構成される。図１は、管理サーバ１００を含むシステム１の構成を示す図である。
【００１４】
システム１は、認証サーバ２、位置情報管理サーバ３、キャッシュサーバ４、ＤＮＳ（Ｄｏｍａｉｎ  Ｎａｍｅ  Ｓｙｓｔｅｍ）サーバ５、オリジンサーバ６、複数のアクセスポイント１０−１〜１０−３、無線端末２００、及び管理サーバ１００を有する。
【００１５】
複数のアクセスポイント１０−１〜１０−３と認証サーバ２と位置情報管理サーバ３とは、ネットワーク７を介して互いに通信可能に接続されている。ネットワーク７は、ローカルエリアネットワーク（ＬＡＮ）であり、例えば、ＷＬＡＮ（Ｗｉｒｅｌｅｓｓ  ＬＡＮ）である。
【００１６】
キャッシュサーバ４とＤＮＳサーバ５とオリジンサーバ６と管理サーバ１００とは、ネットワーク８を介して互いに通信可能に接続されている。ネットワーク８は、ネットワーク７より広範囲のネットワーク（ＷＡＮ）であり、例えばインターネットである。ネットワーク８とネットワーク７とは、互いに接続されている。
【００１７】
無線端末２００は、複数のアクセスポイント１０−１〜１０−３のうちその通信可能範囲に含まれるアクセスポイント１０と無線通信回線経由で通信可能である。図１では、無線端末２００がアクセスポイント１０−２，１０−３の通信可能範囲に含まれていないがアクセスポイント１０−１の通信可能範囲に含まれておりアクセスポイント１０−１と通信可能である場合が例示されている。
【００１８】
各アクセスポイント１０は、ネットワーク７，８を介して他の通信ノードと通信可能である。アクセスポイント１０は、図２に示すように、コンテンツ保持部１１、カテゴリ情報リスト収集部１２、コンテンツ提供部１３、及びストレージモジュール１４を有する。ストレージモジュール１４では、その記憶領域の少なくとも一部をキャッシュ領域１４ａとして利用できる。キャッシュ領域１４ａは、情報が一時的に格納され得る領域である。
【００１９】
コンテンツ保持部１１は、外部（例えば、管理サーバ１００）からコンテンツ及びそのコンテンツ保持要求をネットワーク７，８経由で受信する。コンテンツ保持部１１は、受信されたコンテンツ保持要求をもとに、要求されたコンテンツの保持を行う。例えば、図２に実線で示すコンテンツＡ１及びコンテンツＡ２がキャッシュ領域１４ａに格納されている状態で、コンテンツ保持部１１は、コンテンツＡ３及びそのコンテンツ保持要求をネットワーク７，８経由で受信すると、図２に破線で示すコンテンツＡ３を追加的にキャッシュ領域１４ａに格納する。
【００２０】
カテゴリ情報リスト収集部１２は、無線端末２００のＩＤと無線端末２００によりアクセスされたコンテンツとを収集する。カテゴリ情報リスト収集部１２は、無線端末２００からアクセスポイント１０がアクセスされた際の通信情報におけるヘッダーから無線端末２００のＩＤを抽出でき、通信情報におけるボディ情報からコンテンツに示す情報を抽出でき、無線端末２００のＩＤと無線端末２００によりアクセスされたコンテンツとを収集できる。
【００２１】
このとき、カテゴリ情報リスト収集部１２は、収集されたコンテンツのカテゴリについて問い合わせ要求をネットワーク７，８経由で管理サーバ１００へ送信できる。管理サーバ１００は、問い合わせ要求を受信すると、規定のカテゴリＡ，Ｂ，Ｃのそれぞれについて類似度を求め、最も類似度が高いカテゴリをそのコンテンツに割り当て、その結果をネットワーク７，８経由でアクセスポイント１０へ送信する。カテゴリ情報リスト収集部１２は、コンテンツに対するカテゴリの割り当て結果に応じて、カテゴリ情報リスト１５を作成又は更新する。カテゴリ情報リスト収集部１２は、作成又は更新されたカテゴリ情報リスト１５をキャッシュ領域１４ａに格納する。
【００２２】
カテゴリ情報リスト１５は、例えば、図３（ａ）に示すデータ構造を有する。図３（ａ）は、カテゴリ情報リスト１５のデータ構造を示す図である。カテゴリ情報リスト１５は、端末ＩＤ欄１５ａ及びコンテンツカテゴリ欄１５ｂを有する。端末ＩＤ欄１５ａは、無線端末のＩＤが記録されており、例えば、ＩＰアドレスＩＰＡ１，ＩＰＡ２，ＩＰＡ３などが記録されている。コンテンツカテゴリ欄１５ｂは、コンテンツに対して割り当てられたカテゴリが記録されており、例えば、カテゴリＡ，Ｂ，Ｃなどが記録されている。
【００２３】
図２に示すカテゴリ情報リスト収集部１２は、外部（例えば、管理サーバ１００）からの収集情報の取得要求をネットワーク７，８経由で受信する。カテゴリ情報リスト収集部１２は、収集情報の取得要求に応答して、無線端末２００のＩＤとコンテンツのカテゴリの情報とをネットワーク７，８経由で外部（例えば、管理サーバ１００）へ送信する。無線端末２００のＩＤは、例えば、無線端末２００のＭＡＣ（Ｍｅｄｉａ  Ａｃｃｅｓｓ  Ｃｏｎｔｒｏｌ）アドレスや無線端末２００のＩＰ（Ｉｎｔｅｒｎｅｔ  Ｐｒｏｔｏｃｏｌ）アドレスなど無線端末２００を一意に認識できる識別子である。
【００２４】
コンテンツ提供部１３は、無線端末２００からコンテンツの閲覧要求が受信されると、キャッシュ領域１４ａにアクセスする。コンテンツ提供部１３は、閲覧要求で指定されたコンテンツがキャッシュ領域１４ａにキャッシュされていれば、そのコンテンツをキャッシュ領域１４ａから読み出して無線端末２００へ送信する。なお、コンテンツ提供部１３は、ストレージモジュール１４の容量が不足する場合、キャッシュ領域１４ａに格納されたコンテンツのうち最もアクセス数が少ないものを削除してもよい。
【００２５】
位置情報管理サーバ３は、無線端末２００のＩＤと無線端末２００の位置情報とを含む位置情報リスト３１を保持する。位置情報管理サーバ３は、ＧＰＳ（Ｇｌｏｂａｌ  Ｐｏｓｉｔｉｏｎｉｎｇ  Ｓｙｓｔｅｍ）機能で得られる情報と無線端末２００の接続しているアクセスポイント１０（図１の場合、１０−１）の情報との少なくとも一方に基づいて、無線端末２００の位置情報を推定し、位置情報リスト３１を作成することができる。
【００２６】
位置情報リスト３１は、例えば、図３（ｂ）に示すデータ構造を有する。図３（ｂ）は、位置情報リスト３１のデータ構造を示す図である。位置情報リスト３１は、端末ＩＤ欄３１ａ及び位置情報欄３１ｂを有する。端末ＩＤ欄３１ａは、無線端末のＩＤが記録されており、例えば、ＩＰアドレスＩＰＡ１，ＩＰＡ２，ＩＰＡ３などが記録されている。位置情報欄３１ｂは、無線端末の位置を示す情報が記録されており、例えば、無線端末によりアクセスされたアクセスポイントの識別子ＡＰ１，ＡＰ２，ＡＰ３などが記録されている。識別子ＡＰ１は、アクセスポイント１０−１の識別子であり、識別子ＡＰ２は、アクセスポイント１０−２の識別子であり、識別子ＡＰ３は、アクセスポイント１０−３の識別子である。
【００２７】
図１に示す位置情報管理サーバ３は、外部（例えば、管理サーバ１００）から位置情報リスト要求を受信すると、位置情報リスト要求に応じて位置情報リスト３１をネットワーク７，８経由で外部（例えば、管理サーバ１００）へ送信する。
【００２８】
管理サーバ１００は、ネットワーク７，８を介して他の通信ノードと通信可能である。管理サーバ１００は、記憶部１０５にコンテンツ管理プログラム１０７が格納されており、コンテンツ管理プログラム１０７に従って、コンテンツの管理処理を行うことができる。管理サーバ１００は、図３に示すように、カテゴリ決定部１０１、カテゴリ情報リスト取得部１０２、位置情報リスト取得部１０３、コンテンツ配置決定部１０４、及び記憶部１０５を有する。
【００２９】
カテゴリ決定部１０１は、コンテンツの属性とあらかじめ決定されたポリシーとからコンテンツのカテゴリを決定する。カテゴリ決定部１０１は、コンテンツに対するカテゴリの問い合わせ要求を受信すると、そのコンテンツについてその属性（内容、再生時間など）に基づいて、コンテンツの属性から規定のカテゴリＡ，Ｂ，Ｃのそれぞれについて類似度を求め、最も類似度が高いカテゴリをそのコンテンツに割り当て、その結果を、問い合わせ要求を送ってきたアクセスポイント１０へ送信する。また、カテゴリ決定部１０１は、コンテンツに対するカテゴリの割り当て結果を分類情報１１０として作成又は更新する。
【００３０】
分類情報１１０は、例えば、図５に示すデータ構造を有する。図５は、分類情報１１０のデータ構造を示す図である。分類情報１１０は、コンテンツＩＤ欄１１０ａ及びコンテンツカテゴリ欄１１０ｂを有する。コンテンツＩＤ欄１１０ａは、コンテンツを特定する情報が記録されており、例えば、コンテンツの識別子Ａ１，Ａ２，Ａ３，Ｂ１，Ｂ２，Ｃ１などが記録されている。コンテンツカテゴリ欄１０９ｂは、コンテンツに対して割り当てられたカテゴリが記録されており、例えば、カテゴリＡ，Ｂ，Ｃなどが記録されている。分類情報１１０を参照することで、各コンテンツに対応するカテゴリを特定できる。コンテンツＡ１，Ａ２，Ａ３は、カテゴリＡに対応し、コンテンツＢ１，Ｂ２は、カテゴリＢに対応し、コンテンツＣ１は、カテゴリＣに対応している。
【００３１】
カテゴリ情報リスト取得部１０２は、アクセスポイント１０ごとの端末ＩＤとアクセス先カテゴリであるカテゴリ履歴を収集する。すなわち、カテゴリ情報リスト取得部１０２は、収集情報の取得要求をネットワーク７，８経由で各アクセスポイント１０へ送信し、各アクセスポイント１０からネットワーク７，８経由でカテゴリ情報リスト１５を受信する。カテゴリ情報リスト取得部１０２は、カテゴリ情報リスト１５をアクセスポイント１０−１〜１０−３毎にその識別子と関連付けて記憶部１０５にカテゴリ情報リスト１１１として格納する。
【００３２】
位置情報リスト取得部１０３は、位置情報管理サーバ３から位置情報リスト３１を取得する。すなわち、位置情報リスト取得部１０３は、位置情報リスト要求をネットワーク７，８経由で位置情報管理サーバ３へ送信し、位置情報管理サーバ３からネットワーク７，８経由で位置情報リスト３１を受信する。位置情報リスト取得部１０３は、位置情報リスト３１を記憶部１０５に位置情報リスト１１２として格納する。
【００３３】
対応情報作成更新部１０６は、オリジンサーバ６及び／又はキャッシュサーバ４からアクセス情報を取得する。すなわち、直前にアクセスがないコンテンツについてはオリジンサーバ６へ送信されたコンテンツの閲覧要求に応じてオリジンサーバ６がコンテンツを送信するが、そのときキャッシュサーバ４へも送信しコンテンツをキャッシュさせる。このため、直前にアクセスがあるコンテンツについてはコンテンツの閲覧要求がオリジンサーバ６からキャッシュサーバ４へ転送され、キャッシュサーバ４からコンテンツがコンテンツを送信する。このため、オリジンサーバ６及びキャッシュサーバ４は、それぞれ、複数のコンテンツを保持するとともにコンテンツへのアクセス情報（ログ情報）を保持している。アクセス情報（ログ情報）は、端末ＩＤ、経路情報（アクセスポイントの識別子など）が通信時刻ごとに記録された情報である。
【００３４】
対応情報作成更新部１０６は、アクセス情報（ログ情報）に応じて、第１の対応情報１０８を作成又は更新する。すなわち、対応情報作成更新部１０６は、記憶部１０５にアクセスし、第１の対応情報１０８が格納されていなければ第１の対応情報１０８が未作成であるとして、アクセス情報（ログ情報）と位置情報リスト１１２と各アクセスポイント１０−１〜１０−３のカテゴリ情報リスト１１１とに基づいて、第１の対応情報１０８を作成する。対応情報作成更新部１０６は、記憶部１０５にアクセスし、第１の対応情報１０８が格納されていれば第１の対応情報１０８が既作成であるとして、アクセス情報（ログ情報）と位置情報リスト１１２と各アクセスポイント１０−１〜１０−３のカテゴリ情報リスト１１１とに基づいて、第１の対応情報１０８を更新する。
【００３５】
第１の対応情報１０８は、例えば、図６（ａ）に示すデータ構造を有する。図６（ａ）は、第１の対応情報１０８のデータ構造を示す図である。第１の対応情報１０８は、コンテンツカテゴリ欄１０８ａ、位置情報欄１０８ｂ、及びアクセス頻度欄１０８ｃを有する。コンテンツカテゴリ欄１０８ａは、コンテンツに対して割り当てられたカテゴリが記録されており、例えば、カテゴリＡ，Ｂ，Ｃなどが記録されている。位置情報欄１０８ｂは、無線端末の位置を示す情報が記録されており、例えば、無線端末によりアクセスされたアクセスポイントの識別子ＡＰ１，ＡＰ２，ＡＰ３などが記録されている。識別子ＡＰ１は、アクセスポイント１０−１の識別子であり、識別子ＡＰ２は、アクセスポイント１０−２の識別子であり、識別子ＡＰ３は、アクセスポイント１０−３の識別子である。アクセス頻度欄１０８ｃは、コンテンツカテゴリ及び位置情報の組み合わせ毎にアクセスされた回数を集計した値が記録されている。第１の対応情報１０８を参照することで、コンテンツカテゴリ及び位置情報の各組み合わせに対応したアクセス頻度（アクセス回数）を把握できる。例えば、コンテンツカテゴリＡ及び位置情報ＡＰ１の組み合わせに対するアクセス頻度がＮＡ１（回）であり、・・・コンテンツカテゴリＣ及び位置情報ＡＰ３の組み合わせに対するアクセス頻度がＮＣ３（回）であることが把握できる。
【００３６】
図４に示す対応情報作成更新部１０６は、作成又は更新した第１の対応情報１０８を記憶部１０５に格納する。
【００３７】
コンテンツ配置決定部１０４は、コンテンツのカテゴリとアクセス情報と端末の位置情報とを元にコンテンツをどのアクセスポイントに配置すべきかを決定する。すなわち、コンテンツ配置決定部１０４は、記憶部１０５にアクセスし、第１の対応情報１０８を取得する。コンテンツ配置決定部１０４は、第１の対応情報１０８におけるアクセス頻度が基準を満たすカテゴリ及び位置情報を特定する。
【００３８】
基準は、アクセス頻度が閾値を超えることであってもよいし、各位置毎にアクセス頻度が上位所定数の順位に入ることであってもよいし、アクセス頻度が多いコンテンツをアクセス頻度が多い位置に配置するように決定するための基準であれば任意の基準を採用し得る。
【００３９】
例えば、アクセス頻度が閾値を超えるという基準が採用される場合、図６（ａ）に示す第１の対応情報１０８において、アクセス頻度ＮＡ１が閾値を超えアクセス頻度ＮＢ１，ＮＣ１が閾値以下であれば、位置情報ＡＰ１に対応するアクセスポイント１０−１に配信すべきコンテンツに関してはカテゴリＡが基準を満たす。アクセス頻度ＮＢ２が閾値を超えアクセス頻度ＮＡ２，ＮＣ２が閾値以下であれば、位置情報ＡＰ２に対応するアクセスポイント１０−２に配信すべきコンテンツに関してはカテゴリＢが基準を満たす。アクセス頻度ＮＣ３が閾値を超えアクセス頻度ＮＡ３，ＮＢ３が閾値以下であれば、位置情報ＡＰ３に対応するアクセスポイント１０−３に配信すべきコンテンツに関してはカテゴリＣが基準を満たす。
【００４０】
あるいは、各位置毎にアクセス頻度が上位１位に入るという基準が採用される場合、図６（ａ）に示す第１の対応情報１０８において、ＮＡ１＞ＮＢ１＞ＮＣ１であれば、位置情報ＡＰ１に対応するアクセスポイント１０−１に配信すべきコンテンツに関してはカテゴリＡが基準を満たす。ＮＢ２＞ＮＡ２＞ＮＣ２であれば、位置情報ＡＰ２に対応するアクセスポイント１０−２に配信すべきコンテンツに関してはカテゴリＢが基準を満たす。ＮＣ３＞ＮＡ３＞ＮＢ３であれば、位置情報ＡＰ３に対応するアクセスポイント１０−３に配信すべきコンテンツに関してはカテゴリＣが基準を満たす。
【００４１】
図４に示すコンテンツ配置決定部１０４は、アクセス頻度が基準を満たすカテゴリ及び位置情報の特定結果に応じて、配信管理情報１０９を生成する。
【００４２】
配信管理情報１０９は、例えば、図６（ｂ）に示すデータ構造を有する。図６（ｂ）は、配信管理情報１０９のデータ構造を示す図である。配信管理情報１０９は、配信先欄１０９ａ及びコンテンツカテゴリ欄１０９ｂを有する。配信先欄１０９ａは、配信先の位置情報が記録されており、例えば、アクセスポイントの識別子ＡＰ１，ＡＰ２，ＡＰ３などが記録されている。識別子ＡＰ１は、アクセスポイント１０−１の識別子であり、識別子ＡＰ２は、アクセスポイント１０−２の識別子であり、識別子ＡＰ３は、アクセスポイント１０−３の識別子である。コンテンツカテゴリ欄１０９ｂは、コンテンツに対して割り当てられたカテゴリが記録されており、例えば、カテゴリＡ，Ｂ，Ｃなどが記録されている。
【００４３】
図４に示すコンテンツ配置決定部１０４は、配信管理情報１０９を記憶部１０５に格納するとともに、配信管理情報１０９に応じて、特定された位置情報に対応したアクセスポイント１０のキャッシュ領域１４ａに特定されたカテゴリに属するコンテンツを格納する。
【００４４】
記憶部１０５は、コンテンツ管理プログラム１０７を格納する。また、コンテンツの管理処理の進行に応じて、記憶部１０５は、カテゴリ情報リスト１１１、位置情報リスト１１２、第１の対応情報１０８、配信管理情報１０９を格納し得る。また、記憶部１０５は、配信される候補となるコンテンツＡ１，Ａ２，Ａ３，Ｂ１，Ｂ２，Ｃ１を格納できる。
【００４５】
なお、図１に示す各サーバは、独立した要素として構成されているが、複数の要素の機能を持った１つの要素によって構成されていても良く、１つの要素の機能を分割し複数の要素に分割して実現されていても良い。
【００４６】
次に、新規コンテンツ追加時における管理サーバ１００の動作について図７を用いて説明する。図７は、管理サーバ１００の動作を示す図である。
【００４７】
初期状態において、各通信ノードは接続が確立され通信可能であるとする。また、あらかじめ設定されたコンテンツの種類や再生時間などの分類ポリシーによってカテゴリが設定されているものとする。
【００４８】
管理サーバ１００は、図７（ａ）に示すように、カテゴリ情報リスト収集動作を行う。すなわち、図７（ａ）に破線の矢印で示すように、カテゴリ情報リスト取得部１０２は、すべてのアクセスポイント１０−１〜１０−３に対して、端末のＩＤごとのアクセス先カテゴリであるカテゴリ情報リスト１５を要求・取得する。管理サーバ１００は、すべてのカテゴリ情報リスト１５の取得が完了すると、まとめてカテゴリ情報リスト１１１として保持する。また、管理サーバ１００は、新規コンテンツＡ３及びアクセス情報をオリジンサーバ６及び／又はキャッシュサーバ４から取得して記憶部１０５に格納する。対応情報作成更新部１０６は、アクセス情報（ログ情報）に応じて、第１の対応情報１０８を作成又は更新する。対応情報作成更新部１０６は、作成又は更新した第１の対応情報１０８を記憶部１０５に格納する。
【００４９】
管理サーバ１００は、図７（ｂ）に示すように、位置情報収集動作を行う。すなわち、図７（ｂ）に破線の矢印で示すように、位置情報リスト取得部１０３は、すべての端末の位置情報リスト３１を位置情報管理サーバ３に対して要求・取得する。次に、すべての位置情報リスト３１の取得が完了すると、まとめて全位置情報リスト１１２として保持する。
【００５０】
管理サーバ１００は、図７（ｃ）、図７（ｄ）に示すように、コンテンツ配置動作を行う。すなわち、図７（ｃ）に破線で示すように、カテゴリ決定部１０１は、オリジンサーバ６やキャッシュサーバ４から新規コンテンツが追加されると、既存のカテゴリとの類似度から、コンテンツのカテゴリを決定する。例えば、例えば映像コンテンツであった場合、コンテンツの内容や再生時間などの情報を元に分類する。カテゴリ決定部１０１は、分類した結果を分類情報１１０として記憶部１０５に格納する。
【００５１】
コンテンツ配置決定部１０４は、記憶部１０５にアクセスし、第１の対応情報１０８を取得する。コンテンツ配置決定部１０４は、第１の対応情報１０８におけるアクセス頻度が基準を満たすカテゴリ及び位置情報を特定する。コンテンツ配置決定部１０４は、アクセス頻度が基準を満たすカテゴリ及び位置情報の特定結果に応じて、配信管理情報１０９を生成する。
【００５２】
図７（ｄ）に破線で示すように、コンテンツ配置決定部１０４は、配信管理情報１０９を記憶部１０５に格納するとともに、配信管理情報１０９に応じて、例えば、特定された位置情報ＡＰ１に対応したアクセスポイント１０−１のキャッシュ領域１４ａに特定されたカテゴリＡに属するコンテンツＡ１を格納する。
【００５３】
図７（ａ）〜図７（ｄ）に示す動作により、新規コンテンツは追加された時点でアクセスされる可能性が高いアクセスポイント１０に配置することができる。
【００５４】
例えば、アクセスポイント１０−１のキャッシュ領域１４ａにカテゴリＡに属するコンテンツＡ１，Ａ２が既に格納されている場合、アクセスポイント１０−１の位置は、カテゴリＡに対する閲覧のニーズがあると予想される。そして、カテゴリＡに属する新規コンテンツＡ３がオリジンサーバ６及び・又はキャッシュサーバ４にアップデートされた場合、管理サーバ１００は、図７（ａ）〜図７（ｄ）に示す動作を行い、アクセスポイント１０−１のキャッシュ領域１４ａに新規コンテンツＡ３を格納できる。これにより、新規コンテンツＡ３の追加直後にアクセスポイント１０−１に対してコンテンツＡ３に対する急激なアクセス要求が行われた場合においても迅速にコンテンツＡ３を提供でき、配信品質の低下を抑えることができる。
【００５５】
以上のように、実施形態では、管理サーバ１００において、コンテンツのカテゴリと位置情報とアクセス頻度とが対応付けられた第１の対応情報１０８を記憶するとともにコンテンツへのアクセス情報に応じて逐次更新し、第１の対応情報１０８に応じてアクセスが予想されるコンテンツを位置情報に対応したアクセスポイント１０のキャッシュ領域１４ａに格納しておく。これにより、新規コンテンツを、追加された時点でアクセスされる可能性が高いアクセスポイント１０に配置することができるので、コンテンツの配信を効率化できる。
【００５６】
なお、アクセスポイントの位置情報からアクセスポイント同士の位置関係を推定してもよい。例えば無線端末２００が図８（ａ）〜図８（ｃ）に示すように移動した場合、位置情報管理サーバ３は、複数のアクセスポイントの位置情報を取得することができる。図８は、複数のアクセスポイントの位置情報取得のための動作を示す図である。図８（ａ）に破線の矢印で示すように、位置情報管理サーバ３は、ＧＰＳ機能で得られる情報と無線端末２００の接続しているアクセスポイント１０−３の情報との少なくとも一方に基づいて、無線端末２００の位置情報を推定でき、それにより、アクセスポイント１０−３の位置情報を取得できる。図８（ｂ）に破線の矢印で示すように、位置情報管理サーバ３は、ＧＰＳ機能で得られる情報と無線端末２００の接続しているアクセスポイント１０−３の情報との少なくとも一方に基づいて、無線端末２００の位置情報を推定でき、それにより、アクセスポイント１０−２の位置情報を取得できる。図８（ｃ）に破線の矢印で示すように、位置情報管理サーバ３は、ＧＰＳ機能で得られる情報と無線端末２００の接続しているアクセスポイント１０−３の情報との少なくとも一方に基づいて、無線端末２００の位置情報を推定でき、それにより、アクセスポイント１０−３の位置情報を取得できる。
【００５７】
これにより、図９（ｂ）に示す位置情報収集動作において、管理サーバ１００の位置情報リスト取得部１０３は、各アクセスポイント１０−１〜１０−３の位置情報を位置情報管理サーバ３から取得できる。そして、位置情報リスト取得部１０３は、あらかじめ設定された物理的な距離の閾値などにより、アクセスポイントごとに近隣アクセスポイントを決定し第２の対応情報１１３として記憶部１０５に格納する。
【００５８】
あるいは、無線端末２００が図８（ａ）〜図８（ｃ）に示すように移動した場合、キャッシュサーバ４は、複数のアクセスポイントに対応した複数のアクセス情報を取得することができる。図８（ａ）に一点鎖線の矢印で示すように、キャッシュサーバ４は、無線端末２００からアクセスポイント１０−３を介してアクセスされたアクセス情報を記録し、その後、図８（ｂ）に一点鎖線の矢印で示すように、無線端末２００からアクセスポイント１０−３を介してアクセスされたアクセス情報を記録し、その後、図８（ｃ）に一点鎖線の矢印で示すように、無線端末２００からアクセスポイント１０−３を介してアクセスされたアクセス情報を記録する。
【００５９】
これにより、図９（ａ）に示すカテゴリ情報リスト収集動作において、管理サーバ１００は、図８（ａ）〜図８（ｃ）でそれぞれ記録された複数のアクセス情報を取得する。管理サーバ１００は、アクセスポイント１０−３→アクセスポイント１０−２アクセスポイント１０−１の順に無線端末２００がアクセスしたことからアクセスポイントごとに近隣アクセスポイントを決定し第２の対応情報１１３として記憶部１０５に格納する。
【００６０】
第２の対応情報１１３は、例えば、図１０に示すデータ構造を有する。図１０は、第２の対応情報１１３のデータ構造を示す図である。第２の対応情報１１３は、位置情報欄１１３ａ及び近接位置情報欄１１３ｂを有する。位置情報欄１０８ｂは、無線端末の位置を示す情報が記録されており、例えば、無線端末によりアクセスされたアクセスポイントの識別子ＡＰ１，ＡＰ２，ＡＰ３などが記録されている。識別子ＡＰ１は、アクセスポイント１０−１の識別子であり、識別子ＡＰ２は、アクセスポイント１０−２の識別子であり、識別子ＡＰ３は、アクセスポイント１０−３の識別子である。近接位置情報欄１１３ｂは、近接して位置するアクセスポイントの位置を示す情報が記録されており、例えば、無線端末によりアクセスされたアクセスポイントの識別子ＡＰ１，ＡＰ２，ＡＰ３などが記録されている。
【００６１】
第２の対応情報１１３を参照することで、位置情報に対応したアクセスポイントに対して近接して位置するアクセスポイントを把握できる。例えば、識別子ＡＰ１に対応するアクセスポイント１０−１に近接して、識別子ＡＰ２に対応するアクセスポイント１０−２が位置することが把握できる。識別子ＡＰ２に対応するアクセスポイント１０−２に近接して、識別子ＡＰ１に対応するアクセスポイント１０−１と識別子ＡＰ３に対応するアクセスポイント１０−３とが位置することが把握できる。識別子ＡＰ３に対応するアクセスポイント１０−３に近接して、識別子ＡＰ２に対応するアクセスポイント１０−２が位置することが把握できる。
【００６２】
図９（ｃ）に破線で示すように、コンテンツ配置決定部１０４は、記憶部１０５にアクセスし、第１の対応情報１０８と第２の対応情報１１３とを取得する。コンテンツ配置決定部１０４は、第１の対応情報１０８におけるアクセス頻度が基準を満たすカテゴリ及び位置情報を特定する。コンテンツ配置決定部１０４は、アクセス頻度が基準を満たすカテゴリ及び位置情報の特定結果と第２の対応情報１１３とに応じて、図１１（ｂ）に示すような配信管理情報１０９ｉを生成する。すなわち、カテゴリＡの配信先として、アクセスポイント１０−１を示す識別子ＡＰ１に加えて、その周辺に位置するアクセスポイント１０−２を示す識別子ＡＰ２が決定され、配信管理情報１０９ｉが生成される。
【００６３】
そして、図９（ｄ）に示すように、管理サーバ１００のコンテンツ配置決定部１０４は、配信管理情報１０９ｉに従って、新規コンテンツＡ３をカテゴリＡのコンテンツＡ１，Ａ２がすでに配置されているアクセスポイント１０−１とその近隣アクセスポイント１０−３とに対して配置することができる。
【００６４】
このように、新規コンテンツが追加された時点で広範囲にアクセスされる可能性が高いアクセスポイントに配置することができる。そのため、無線端末２００が移動した場合などにおいても配信品質の低下を抑えることができる。
【００６５】
あるいは、管理サーバ１００は、端末の接続時間や通信電波強度などから決定される通信属性を取得し、通信属性も考慮してコンテンツの配信を管理してもよい。すなわち、管理サーバ１００は、オリジンサーバ６及び／又はキャッシュサーバ４から取得したアクセス情報（ログ情報）から通信属性を示す情報を抽出できる。新規コンテンツが追加される際には、管理者が新規コンテンツをアピールしたい通信属性を指定する。管理サーバ１００は、抽出された通信属性と指定された通信属性とにより、新規コンテンツと既存コンテンツの類似性やアクセスポイントの位置による配置だけでなく、管理者がアピールしたい通信属性を満たす端末周辺のアクセスポイントに対してコンテンツを追加することが可能となる。
【００６６】
また、通信属性を時間帯ごとに保持することにより、新規コンテンツを追加する際に管理者のアピールしたい端末特性である端末を保持するアクセスポイントが不足する場合などに、近い将来端末特性が満たされる可能性が高いアクセスポイントにあらかじめ配置したり、配置するまで待機したりすることが可能となる。
【００６７】
この場合、第１の対応情報１０８ｊは、例えば、図１２（ａ）に示すデータ構造を有する。図１２（ａ）は、第１の対応情報１０８ｊのデータ構造を示す図である。第１の対応情報１０８ｊは、コンテンツカテゴリ欄１０８ａ、位置情報欄１０８ｂ、通信属性欄１０８ｄ、及びアクセス頻度欄１０８ｃを有する。通信属性欄１０８ｄは、無線端末によりアクセスされたアクセスポイントの通信属性（接続時間や通信電波強度など）が記録されており、例えば、通信属性ＣＡ１，ＣＡ２、ＣＡ３が記録されている。第１の対応情報１０８ｊを参照することで、コンテンツカテゴリ、位置情報、及び通信属性の各組み合わせに対応したアクセス頻度（アクセス回数）を把握できる。例えば、コンテンツカテゴリＡ、位置情報ＡＰ１、及び通信属性ＣＡ１の組み合わせに対するアクセス頻度がＮＡ１１（回）であり、・・・コンテンツカテゴリＣ、位置情報ＡＰ３、及び通信属性ＣＡ３の組み合わせに対するアクセス頻度がＮＣ３３（回）であることが把握できる。
【００６８】
第１の対応情報１０８ｊを利用することで、管理サーバ１００は、配信先ごとにコンテンツを配信すべき時間帯をスケジューリングでき、そのスケジューリングを含む配信管理情報１０９ｊを生成できる。
【００６９】
配信管理情報１０９ｊは、例えば、図１２（ｂ）に示すデータ構造を有する。図１２（ｂ）は、配信管理情報１０９ｊのデータ構造を示す図である。配信管理情報１０９ｊは、配信先欄１０９ａ、コンテンツカテゴリ欄１０９ｂ、及び配信時刻１０９ｃを有する。配信時刻１０９ｃは、配信先にコンテンツを配信すべき時刻が記録されており、例えば、ｔ１〜ｔ２，ｔ３〜ｔ４，ｔ５〜ｔ６などが記録されている。配信管理情報１０９ｊを参照することで、識別子ＡＰ１に対応するアクセスポイント１０−１にカテゴリＡに属するコンテンツを時刻ｔ１〜ｔ２に配信すべきことが分かる。識別子ＡＰ２に対応するアクセスポイント１０−２にカテゴリＡ，Ｂに属するコンテンツを時刻ｔ３〜ｔ４に配信すべきことが分かる。識別子ＡＰ３に対応するアクセスポイント１０−３にカテゴリＣに属するコンテンツを時刻ｔ５〜ｔ６に配信すべきことが分かる。
【００７０】
このように、新規コンテンツが追加された時点で広範囲にアクセスされる可能性が高いアクセスポイントにアクセスされる可能性が高い時間帯を狙って配置することができる。そのため、新規コンテンツの配信が有料である場合などにコンテンツの配信コストを抑制しつつ配信品質の低下を抑えることができる。
【００７１】
また、アクセスポイントから操作可能な端末とは異なるコンテンツ再生装置を追加することで、管理者がアピールしたい通信属性を満たす端末が特に多く存在する場合に、追加コンテンツをコンテンツ再生装置にて自動で再生することで、よりユーザに対してコンテンツをアピールすることが実現できる。
【００７２】
あるいは、管理サーバ１００は、端末を使用するユーザの性別・年齢・嗜好などのユーザ属性を取得し、ユーザ属性も考慮してコンテンツの配信を管理してもよい。
【００７３】
例えば、新規コンテンツ追加時に、管理サーバ１００は、図１３（ａ）に示すカテゴリ情報リスト収集動作を行い、図１３（ｂ）に示す位置情報収集動作を行った後、図１３（ｃ）に示すユーザ属性収集動作を行う。すなわち、管理サーバ１００は、ユーザ属性（ユーザの性別・年齢・嗜好など）を示す情報を認証サーバ２から取得することができる。新規コンテンツが追加される際には、管理者が新規コンテンツをアピールしたいユーザ属性を指定する。管理サーバ１００は、取得された通信属性と指定された通信属性とにより、新規コンテンツと既存コンテンツの類似性やアクセスポイントの位置による配置だけでなく、管理者がアピールしたいユーザ属性を満たす端末周辺のアクセスポイントに対してコンテンツを追加することが可能となる。
【００７４】
また、ユーザ属性を時間帯ごとに保持することにより、新規コンテンツを追加する際に管理者のアピールしたいユーザ属性である端末を保持するアクセスポイントが不足する場合などに、近い将来ユーザ属性が満たされる可能性が高いアクセスポイントにあらかじめ配置したり、配置するまで待機したりすることが可能となる。
【００７５】
この場合、第１の対応情報１０８ｋは、例えば、図１４（ａ）に示すデータ構造を有する。図１４（ａ）は、第１の対応情報１０８ｋのデータ構造を示す図である。第１の対応情報１０８ｋは、コンテンツカテゴリ欄１０８ａ、位置情報欄１０８ｂ、ユーザ属性欄１０８ｅ、及びアクセス頻度欄１０８ｃを有する。ユーザ属性欄１０８ｅは、無線端末によりアクセスされたアクセスポイントを利用するユーザのユーザ属性（ユーザの性別・年齢・嗜好など）が記録されており、例えば、通信属性ａ，ｂ、ｃが記録されている。第１の対応情報１０８ｋを参照することで、コンテンツカテゴリ、位置情報、及びユーザ属性の各組み合わせに対応したアクセス頻度（アクセス回数）を把握できる。例えば、コンテンツカテゴリＡ、位置情報ＡＰ１、及びユーザ属性ａの組み合わせに対するアクセス頻度がＮＡ１ａ（回）であり、・・・コンテンツカテゴリＣ、位置情報ＡＰ３、及びユーザ属性ｃの組み合わせに対するアクセス頻度がＮＣ３ｃ（回）であることが把握できる。
【００７６】
第１の対応情報１０８ｋを利用することで、管理サーバ１００は、配信先ごとにコンテンツを配信すべき時間帯をスケジューリングでき、そのスケジューリングを含む配信管理情報１０９ｋを生成できる。
【００７７】
配信管理情報１０９ｋは、例えば、図１４（ｂ）に示すデータ構造を有する。図１４（ｂ）は、配信管理情報１０９ｋのデータ構造を示す図である。配信管理情報１０９ｋは、配信先欄１０９ａ、コンテンツカテゴリ欄１０９ｂ、及び配信時刻１０９ｃを有する。配信時刻１０９ｃは、配信先にコンテンツを配信すべき時刻が記録されており、例えば、ｔ１１〜ｔ１２，ｔ１３〜ｔ１４，ｔ１５〜ｔ１６などが記録されている。配信管理情報１０９ｋを参照することで、識別子ＡＰ１に対応するアクセスポイント１０−１にカテゴリＡに属するコンテンツを時刻ｔ１１〜ｔ１２に配信すべきことが分かる。識別子ＡＰ２に対応するアクセスポイント１０−２にカテゴリＡ，Ｂに属するコンテンツを時刻ｔ１３〜ｔ１４に配信すべきことが分かる。識別子ＡＰ３に対応するアクセスポイント１０−３にカテゴリＣに属するコンテンツを時刻ｔ１５〜ｔ１６に配信すべきことが分かる。
【００７８】
このように、新規コンテンツが追加された時点で広範囲にアクセスされる可能性が高いアクセスポイントにアクセスされる可能性が高い時間帯を狙って配置することができる。そのため、新規コンテンツの配信が有料である場合などにコンテンツの配信コストを抑制しつつ配信品質の低下を抑えることができる。
【００７９】
また、アクセスポイントから操作可能な端末とは異なるコンテンツ再生装置を追加することで、管理者がアピールしたいユーザ属性を満たす端末が特に多く存在する場合に、追加コンテンツをコンテンツ再生装置にて自動で再生することで、よりユーザに対してコンテンツをアピールすることが実現できる。
【００８０】
また、ユーザ属性については、認証サーバ２を利用せずにアクセスポイントにカメラなどを搭載し、アクセスポイント周辺の平均的な人物像を算出し、それをアクセスポイントと接続された端末のユーザ属性として使用しても良い。この方法を用いることで、認証サーバ２が不要になるため、システムの低コスト化が可能になる。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１  システム、１０，１０−１，１０−２，１０−３  アクセスポイント、１００  管理サーバ。
【図１】
2019160076.tif 000003
【図２】
2019160076.tif 000004
【図３】
2019160076.tif 000005
【図４】
2019160076.tif 000006
【図５】
2019160076.tif 000007
【図６】
2019160076.tif 000008
【図７】
2019160076.tif 000009
【図８】
2019160076.tif 000010
【図９】
2019160076.tif 000011
【図１０】
2019160076.tif 000012
【図１１】
2019160076.tif 000013
【図１２】
2019160076.tif 000014
【図１３】
2019160076.tif 000015
【図１４】
2019160076.tif 000016